(57)【要約】【課題】接合層の亀裂を防止することができる電気泳動表示装置を提供すること。【解決手段】第１の基板と、第２の基板と、前記第１の基板に設けられた２層以上の接合層と、前記第２の基板に設けられた隔壁と、を備え、前記隔壁は、少なくとも前記接合層の一部に接している天頂点を含む１つの第１の面と、前記第２の基板の前記隔壁が設けられた面とつながる側面であってかつ画素領域と接する平面である複数の第２の面と、前記第１の面および前記第２の面以外の第３の面と、を有する、電気泳動表示装置。【選択図】図４
2017116603.tif 000002
【特許請求の範囲】
【請求項１】
第１の基板と、
第２の基板と、
前記第１の基板に設けられた２層以上の接合層と、
前記第２の基板に設けられた隔壁と、
を備え、
前記隔壁は、
少なくとも前記接合層の一部に接している天頂点を含む１つの第１の面と、前記第２の基板の前記隔壁が設けられた面とつながる側面であってかつ画素領域と接する平面である複数の第２の面と、前記第１の面および前記第２の面以外の第３の面と、を有する
電気泳動表示装置。
【請求項２】
前記第３の面は、平面である面要素を有する
請求項１に記載の電気泳動表示装置。
【請求項３】
前記第３の面は、前記隔壁の内側から外側に向かって凸の曲面である面要素を有する
請求項１に記載の電気泳動表示装置。
【請求項４】
前記第２の面に対して垂直な断面において、前記第３の面は、円弧状の形状、または、楕円の弧状の形状である
請求項３に記載の電気泳動表示装置。
【請求項５】
前記第３の面は、
前記隔壁の内側から外側に向かって凸の曲面であって、かつ一辺が前記第１の面と接合する第１の面要素と、
平面または曲面であって、かつ一辺が前記第２の面と接合する第２の面要素とを有する
請求項１に記載の電気泳動表示装置。
【請求項６】
前記第３の面は、
前記隔壁の内側から外側に向かって凸の曲面である第３の面要素と、
前記隔壁の内側から外側に向かって凹の曲面である第４の面要素と、
前記隔壁の内側から外側に向かって凸の曲面である第５の面要素と、
を有し、
前記第３の面要素の一辺が前記第１の面と接合し、
前記第３の面要素の他の一辺と前記第４の面要素の一辺とが接合し、
前記第４の面要素の他の一辺と前記第５の面要素の一辺とが接合し、
前記第５の面要素の他の一辺が前記第２の面と接合する
請求項１に記載の電気泳動表示装置。
【請求項７】
前記第１の面、前記第２の面または前記第３の面のうちの少なくともいずれかを面取り加工して、請求項１から請求項６までのいずれか一項に記載の電気泳動表示装置を製造する、
電気泳動表示装置の製造方法。
【請求項８】
前記第１の面、前記第２の面または前記第３の面のうちの少なくともいずれかをエッチング加工して、請求項１から請求項６までのいずれか一項に記載の電気泳動表示装置を製造する、
電気泳動表示装置の製造方法。
【請求項９】
前記第１の面、前記第２の面または前記第３の面のうちの少なくともいずれかを型押し加工して、請求項１から請求項６までのいずれか一項に記載の電気泳動表示装置を製造する、
電気泳動表示装置の製造方法。
【請求項１０】
請求項１から請求項６までのいずれか一項に記載の電気泳動表示装置を備える電子機器。
【発明の詳細な説明】
【技術分野】
【０００１】
本発明は、電気泳動表示装置、電気泳動表示装置の製造方法および電子機器に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、一対の基板の間を隔壁によって複数の空間に区画し、各空間内に帯電性および分散性を有する粒子および溶媒が封入された構成を有するものが知られている。粒子および分散媒から分散液が構成される。
電気泳動表示装置は、分散液に電圧を印加して、粒子を所定の電極の側に移動させ、色および反射率が異なる粒子を分離させることにより、表示の内容を変えることができる。例えば、白に対応する粒子（「白色粒子」という）および黒に対応する粒子（「黒色粒子」という）を用いた白黒表示体では、一般に、白色粒子の光散乱を利用して白を表示させ、黒色粒子の光吸収性を利用して黒を表示させる。
【０００３】
電気泳動表示装置に関し、例えば、特許文献１に記載の製造方法が知られている。
具体的には、特許文献１に記載された電気泳動表示装置は、第１の基板と、第２の基板とを備える。第１の基板には、第１封止膜（第１の接合層に対応する）と、第１封止膜を覆う第２封止膜（第２の接合層に対応する）とが形成される。第２封止膜は、第１封止膜と比較して膜厚が薄い膜である。第２の基板には、隔壁が形成される。電気泳動表示装置は、第１の基板と第２の基板とを対向させて配置し、第２の基板に設けられた隔壁によって区画された複数の空間に分散液を注入し、隔壁の頂部を第１の基板に設けられた第１封止膜および第２封止膜に食い込ませることにより構成される。
【先行技術文献】
【特許文献】
【０００４】
【特許文献１】特開２０１５−１３８２２０号公報
【発明の概要】
【発明が解決しようとする課題】
【０００５】
ここで、第１接合層は、隔壁を食い込みやすくする為に、柔らかい形状のものが用いられる。第１接合層には、分散液の電気泳動特性を悪化させる成分が含まれる場合がある。この場合、第１接合層に含まれる成分の流出を防止することを目的として、第２の接合層が第１接合層を覆うように形成される。
しかしながら、特許文献１に記載された技術のように、第２の基板に設けられた隔壁を、第１の基板に設けられた第２の接合層および第１接合層に食い込ませる際に、隔壁の頂部が尖鋭である場合、第２の接合層が大きく変形し、第２の接合層に亀裂ができる場合がある。この場合、第１接合層に含まれる分散液の電気泳動特性を悪化させる成分が分散液に溶出する場合がある。
【０００６】
本発明は、上記従来の問題に鑑みてなされたものであり、第２の接合層の亀裂を防止することができる電気泳動表示装置、電気泳動表示装置の製造方法および電子機器を提供することを目的とする。
【課題を解決するための手段】
【０００７】
上記課題の少なくとも一つを解決するために本発明の一態様は、第１の基板と、第２の基板と、前記第１の基板に設けられた２層以上の接合層と、前記第２の基板に設けられた隔壁と、を備え、前記隔壁は、少なくとも前記接合層の一部に接している天頂点を含む１つの第１の面と、前記第２の基板の前記隔壁が設けられた面とつながる側面であってかつ画素領域と接する平面である複数の第２の面と、前記第１の面および前記第２の面以外の第３の面と、を有する、電気泳動表示装置である。
この構成により、電気泳動表示装置は、隔壁と接合層とが接して食い込む箇所（隔壁の端面の近傍の箇所）の変形を小さくする。これにより、電気泳動表示装置は、接合層の亀裂を防止することができる。
【０００８】
また、本発明の他の態様は、電気泳動表示装置において、前記第３の面は、平面である面要素を有する、構成が用いられていてもよい。
この構成により、電気泳動表示装置は、隔壁と接合層とが接して食い込む箇所（隔壁の端面の近傍の箇所）の変形を小さくする。これにより、電気泳動表示装置は、接合層の亀裂を防止することができる。
【０００９】
また、本発明の他の態様は、電気泳動表示装置において、前記第３の面は、前記隔壁の内側から外側に向かって凸の曲面である面要素を有する、構成が用いられていてもよい。
この構成により、電気泳動表示装置は、隔壁と接合層とが接して食い込む箇所（隔壁の端面の近傍の箇所）の変形を小さくする。これにより、電気泳動表示装置は、接合層の亀裂を防止することができる。
【００１０】
また、本発明の他の態様は、電気泳動表示装置において、前記第２の面に対して垂直な断面において、前記第３の面は、円弧状の形状、または、楕円の弧状の形状である、構成が用いられていてもよい。
この構成により、電気泳動表示装置は、隔壁と接合層とが接して食い込む箇所（隔壁の端面の近傍の箇所）の変形を小さくする。これにより、電気泳動表示装置は、接合層の亀裂を防止することができる。
【００１１】
また、本発明の他の態様は、電気泳動表示装置において、前記第３の面は、前記隔壁の内側から外側に向かって凸の曲面であって、かつ一辺が前記第１の面と接合する第１の面要素と、平面または曲面であって、かつ一辺が前記第２の面と接合する第２の面要素とを有する、構成が用いられていてもよい。
この構成により、電気泳動表示装置は、隔壁と接合層とが接して食い込む箇所（隔壁の端面の近傍の箇所）の変形を小さくする。これにより、電気泳動表示装置は、接合層の亀裂を防止することができる。
【００１２】
また、本発明の他の態様は、前記第３の面は、前記隔壁の内側から外側に向かって凸の曲面である第３の面要素と、前記隔壁の内側から外側に向かって凹の曲面である第４の面要素と、前記隔壁の内側から外側に向かって凸の曲面である第５の面要素と、を有し、前記第３の面要素の一辺が前記第１の面と接合し、前記第３の面要素の他の一辺と前記第４の面要素の一辺とが接合し、前記第４の面要素の他の一辺と前記第５の面要素の一辺とが接合し、前記第５の面要素の他の一辺が前記第２の面と接合する、構成が用いられていてもよい。
この構成により、電気泳動表示装置は、隔壁と接合層とが接して食い込む箇所（隔壁の端面の近傍の箇所）の変形を小さくする。これにより、電気泳動表示装置は、接合層の亀裂を防止することができる。
【００１３】
また、本発明の他の態様は、前記第１の面、前記第２の面または前記第３の面のうちの少なくともいずれかを面取り加工して、上記のような電気泳動表示装置を製造する、電気泳動表示装置の製造方法である。
この構成により、電気泳動表示装置の製造方法では、隔壁と接合層とが接して食い込む箇所（隔壁の端面の近傍の箇所）の変形が小さい電気泳動表示装置を製造する。これにより、電気泳動表示装置の製造方法では、接合層の亀裂を防止する電気泳動表示装置を製造することができる。
【００１４】
また、本発明の他の態様は、前記第１の面、前記第２の面または前記第３の面のうちの少なくともいずれかをエッチング加工して、上記のような電気泳動表示装置を製造する、電気泳動表示装置の製造方法である。
この構成により、電気泳動表示装置の製造方法では、隔壁と接合層とが接して食い込む箇所（隔壁の端面の近傍の箇所）の変形が小さい電気泳動表示装置を製造する。これにより、電気泳動表示装置の製造方法では、接合層の亀裂を防止する電気泳動表示装置を製造することができる。
【００１５】
また、本発明の他の態様は、前記第１の面、前記第２の面または前記第３の面のうちの少なくともいずれかを型押し加工して、上記のような電気泳動表示装置を製造する、電気泳動表示装置の製造方法である。
この構成により、電気泳動表示装置の製造方法では、隔壁と接合層とが接して食い込む箇所（隔壁の端面の近傍の箇所）の変形が小さい電気泳動表示装置を製造する。これにより、電気泳動表示装置の製造方法では、接合層の亀裂を防止する電気泳動表示装置を製造することができる。
【００１６】
また、本発明の他の態様は、上記のいずれかに記載の電気泳動表示装置を備える電子機器である。
この構成により、電子機器は、電気泳動表示装置において、隔壁と接合層とが接して食い込む箇所（隔壁の端面の近傍の箇所）の変形を小さくする。これにより、電子機器は、電気泳動表示装置において、接合層の亀裂を防止することができる。
【００１７】
以上により、電気泳動表示装置、電気泳動表示装置の製造方法および電子機器では、電気泳動表示装置において、隔壁と接合層とが接して食い込む箇所（隔壁の端面の近傍の箇所）の変形を小さくする。これにより、電気泳動表示装置、電気泳動表示装置の製造方法および電子機器では、電気泳動表示装置において、接合層の亀裂を防止することができる。
【図面の簡単な説明】
【００１８】
【図１】本発明の一実施形態（第１実施形態）に係る電気泳動表示装置の概略的な構成例を示す図である。
【図２】本発明の一実施形態（第１実施形態）に係る隔壁および接合層の構成例を示す図である。
【図３】本発明の一実施形態（第１実施形態）に係る隔壁が有する面の構成例を示す図である。
【図４】本発明の一実施形態（第１実施形態）に係る隔壁の第１の例を示す模式図である。
【図５】本発明の一実施形態（第１実施形態）に係る隔壁の第２の例を示す模式図である。
【図６】本発明の一実施形態（第１実施形態）に係る隔壁の第３の例を示す模式図である。
【図７】本発明の一実施形態（第１実施形態）に係る隔壁の第４の例を示す模式図である。
【図８】本発明の一実施形態（第１実施形態）に係る隔壁の第５の例を示す模式図である。
【図９】本発明の一実施形態（第２実施形態）に係る電子機器の一例である電子ブックを示す斜視図である。
【図１０】本発明の一実施形態（第２実施形態）に係る電子機器の一例である腕時計を示す斜視図である。
【図１１】本発明の一実施形態（第２実施形態）に係る電子機器の一例である電子ペーパーを示す斜視図である。
【図１２】背景技術に係る隔壁および接合層の構成例を示す図である。
【発明を実施するための形態】
【００１９】
本発明の実施形態について図面を参照して詳細に説明する。
【００２０】
［背景技術に係る隔壁および接合層の構成の説明］
まず、図１２を参照して、背景技術に係る隔壁の構成について説明する。
図１２は、背景技術に係る隔壁および接合層の構成例を示す図である。図１２は、表示部２００１の一部の断面側面図である。
表示部２００１は、互いに対向する第１の基板（「対向基板」という）２１０１と、第２の基板（「駆動基板」という）２１０２とを備える。
表示部２００１は、駆動基板２１０２と対向基板２１０１との間に、対向基板２１０１の側に第１の接合層２２０２と第２の接合層２２０３とを備える。以降の説明において、第１の接合層２２０２と第２の接合層２２０３とを特に区別しない場合には、これらをまとめて接合層２２０４と記載する。
表示部２００１は、駆動基板２１０２と接合層２１０４との間に、駆動基板２１０２の側に画素領域毎に仕切る隔壁２２０１を備える。隔壁２２０１は複数備えられ、これにより、それぞれの画素領域毎の空間（セル）が形成される。
表示部２００１は、それぞれの画素領域毎に、駆動基板２１０２と接合層２２０４との間に、分散液２１０６を備える。分散液２１０６は、例えば、分散媒と、複数の白色粒子と、複数の黒色粒子を含む。分散液２１０６は、表示部２００１の周囲の側面（図示せず）では、封止部（図示せず）により封止される。
なお、駆動基板２１０２および対向基板２１０１とこれらで挟まれる部分により、電気泳動パネルが構成されている。
【００２１】
駆動基板２１０２は、それぞれの画素領域毎に、電極（画素電極２１１１ａ、２１１１ｂ）を備える。以降の説明において、各画素電極２１１１ａ、２１１１ｂを特に区別しない場合には、これらをまとめて画素電極２１１１と記載する。
対向基板２１０１は、複数の画素領域に共通な電極（共通電極２１２２）を備える。
本構成例では、制御部（図示せず）が、それぞれの画素領域毎に、画素電極２１１１に印加される電圧を制御することにより、白の表示または黒の表示とすることが行われる。具体的には、図１２に示す通り、画素電極２１１１ａに印加される電圧と画素電極２１１１ｂに印加される電圧を制御することにより、画素領域毎に白の表示または黒の表示とすることが行われる。
なお、共通電極２１２２に印加される電圧は、一定の電圧であってもよく、または、制御部により可変に制御されてもよい。
【００２２】
ここで、隔壁２２０１は、駆動基板２１０２と接する側を底面とした場合、上面が第２の接合層２２０３と接していて、第２の接合層２２０３を押圧している。このように、隔壁２２０１が第２の接合層２２０３に押し当てられた構造（食い込み構造）により、第２の接合層２２０３を含む接合層２２０４が隔壁２２０１の周辺で変形する。
ここで、第２の接合層２２０３と接する隔壁２２０１の上面が尖鋭である場合、第２の接合層２２０３に亀裂が生じ、上記した課題に示したように、第１の接合層２２０２に含まれる成分であって、分散液２１０６の電気泳動特性を悪化させる成分が分散液２１０６に溶出する場合がある。
【００２３】
なお、本構成例では、分散液２１０６の分散媒として、シリコーンオイル（Ｓｉ−ｏｉｌ）が用いられている。共通電極２１２２は、ＩＴＯ（インジウム・スズ酸化物）を用いて構成されている。対向基板２１０１は、ガラスの基板を用いて構成されている。
【００２４】
（第１実施形態）
［電気泳動表示装置の概要］
次に、本実施形態に係る電気泳動表示装置１について説明する。
図１は、本発明の一実施形態（第１実施形態）に係る電気泳動表示装置１の概略的な構成例を示す図である。図１は、電気泳動表示装置１の平面図である。
電気泳動表示装置１は、表示部１１と制御部１２とを備える。
表示部１１は、縦および横（マトリクス状）に配置された複数の画素領域２１を備える。
ここで、図１に示す直交座標系について説明する。図１に示す通り、表示部１１を上方から見た場合、Ｘ軸は左右方向を示す。また、Ｙ軸は奥行方向を示す。また、Ｚ軸は、高さ方向を示す。
制御部１２は、それぞれの画素領域２１毎に、分散液に印加する電圧を制御することにより、表示する色を制御する。本実施形態では、それぞれの画素領域２１毎に、分散媒とともに白色粒子および黒色粒子を含む分散液を有しており、白色粒子を用いた白の表示または黒色粒子を用いた黒の表示が可能である。
【００２５】
［隔壁および接合層の一構成例］
図２は、本発明の一実施形態（第１実施形態）に係る隔壁２０１および接合層２０４の構成例を示す図である。図２は、表示部１１の断面側面図である。具体的には、図２は、表示部１１のＸ−Ｚ平面における断面側面図である。なお、図２の例では、２つの隔壁２０１ａおよび隔壁２０１ｂについての構成例を示すが、他の隔壁についても同様の構成を有する。以降の説明において、隔壁２０１ａと隔壁２０１ｂとを特に区別しない場合には、これらをまとめて隔壁２０１と記載する。
図２には、図１に示される表示部１１の一部の構成例として、隣接する３個の画素領域２１を区画する（仕切る）隔壁２０１ａ、２０１ｂと、その周辺の構成例を示してある。
具体的には、駆動基板１０２と、共通電極１１２を有する対向基板１０１と、分散液１０４と、隣接する３個の画素領域２１のそれぞれの画素電極１１１ａ、画素電極１１１ｂおよび画素電極１１１ｃと、これら隣接する３個の画素領域２１を仕切る隔壁２０１ａおよび隔壁２０１ｂと、第１の接合層２０２および第２の接合層２０３とが示されている。以降の説明において、第１の接合層２０２と第２の接合層２０３とを特に区別しない場合には、これらをまとめて接合層２０４と記載する。
【００２６】
本実施形態では、図２に示す通り、隔壁２０１は、複数の面を有している。具体的には、隔壁２０１は、第２の接合層２０３と一部接する面であって、隔壁２０１の天頂点を含む第１の面Ｆ１ａ、Ｆ１ｂを有する。ここで、本実施形態では、図２に示されるＺ軸の正の方向を高さの高い方向とし、隔壁２０１の最も高い点を天頂点と呼ぶ。隔壁２０１は、駆動基板１０２とつながる側面であってかつ分散液１０４と接する第２の面Ｆ２ａ−１、Ｆ２ａ−２、Ｆ２ｂ−１、Ｆ２ｂ−２を有する。また、隔壁２０１は、第１の面Ｆ１ａ、Ｆ１ｂと、第２の面Ｆ２ａ−１、Ｆ２ａ−２、Ｆ２ｂ−１、Ｆ２ｂ−２とを接続する第３の面Ｆ３ａ−１、Ｆ３ａ−２、Ｆ３ｂ−１、Ｆ３ｂ−２とを有する。
以降の説明において、第１の面Ｆ１ａ、Ｆ１ｂを特に区別しない場合には、これらをまとめて第１の面Ｆ１と記載する。同様に、第２の面Ｆ２ａ−１、Ｆ２ａ−２、Ｆ２ｂ−１、Ｆ２ｂ−２を特に区別しない場合には、これらをまとめて第２の面Ｆ２と記載する。同様に、第３の面Ｆ３ａ−１、Ｆ３ａ−２、Ｆ３ｂ−１、Ｆ３ｂ−２を特に区別しない場合には、これらをまとめて第３の面Ｆ３と記載する。
【００２７】
なお、本例では、画素領域２１が四角形である場合について説明したが、これに限られない。画素領域２１は、四角形以外の形状であってもよく、三角形であってもよく、５つ以上の頂点を有する多角形（例えば、六角形）であってもよい。この場合、隔壁２０１が、画素領域２１の形状に応じた複数の第２の面Ｆ２を有していてもよい。具体的には、隔壁２０１が、画素領域２１の形状が有する辺に応じた数の第２の面Ｆ２を有していてもよい。
【００２８】
［隔壁が有する面の構成例］
以下、複数の画素領域２１を区画する隔壁２０１を構成する第１の面Ｆ１、第２の面Ｆ２および第３の面Ｆ３の具体例について図３を参照して詳しく説明する。
図３は、本発明の一実施形態（第１実施形態）に係る隔壁２０１が有する面の構成例を示す図である。図３は、表示部１１の断面斜視図である。
図３に示す通り、第１の面Ｆ１は、表示部１１が備える隔壁２０１の天頂点を有する１つの面である。
また、第２の面Ｆ２は、画素領域２１の内部の面であり、画素領域２１に充填される分散液１０４と隔壁２０１とが接する面である。図３に示す通り、表示部１１が備える画素領域２１は、画素領域２１毎に４つの第２の面Ｆ２を有する。
また、第３の面Ｆ３は、第１の面Ｆ１と第２の面Ｆ２とを接続する面である。図３に示す通り、表示部１１が備える画素領域２１は、第２の面Ｆ２毎に第３の面Ｆ３を有する。
以降の説明おいて、第３の面Ｆ３と第１の面Ｆ１とが接する当該第３の面Ｆ３の辺を第１の辺Ｓ１と記載する。また、第３の面Ｆ３と第２の面Ｆ２とが接する当該第３の面Ｆ３の辺を第２の辺Ｓ２と記載する。
【００２９】
以下、図４〜図８を参照して、第３の面Ｆ３の詳細について、表示部１１のうち、図３に示す領域ＡＲの箇所を例示して説明する。
ここで、領域ＡＲは、隣り合う画素領域２１を仕切る隔壁２０１の部分であり、一対の第２の面Ｆ２（画素領域２１の内部の側面）と、一対の第３の面Ｆ３と、これらの共通な第１の面Ｆ１を含む。
【００３０】
［第３の面の構成例１］
図４は、本発明の一実施形態（第１実施形態）に係る隔壁２０１の第１の例を示す模式図である。
図４に示す通り、本例では、隔壁２０１の一例である隔壁２０１−１が第３の面Ｆ３として、面要素ＦＥ１と面要素ＦＥ２とを有する。ここで、面要素ＦＥ１、ＦＥ２は、それぞれ、第３の面Ｆ３を構成する面である。本例では、第１の面Ｆ１、面要素ＦＥ１、面要素ＦＥ２、第２の面Ｆ２の順で、接合（接続）されている。なお、ここでは、説明の便宜上、これらの面（または、面要素）を別々に示しているが、例えば、これらの面は一体として構成されている。
図４に示す通り、第１の辺Ｓ１は、第１の面Ｆ１と第３の面Ｆ３の面要素ＦＥ１とが接する辺である。また、第２の辺Ｓ２とは、第２の面Ｆ２と第３の面Ｆ３の面要素ＦＥ２とが接する辺である。
本例では、面要素ＦＥ１と第１の面Ｆ１とがなす角度は９０°より大きく１８０°未満の値となっており、面要素ＦＥ２と第２の面Ｆ２とがなす角度は９０°より大きく１８０°未満の値となっている。
【００３１】
なお、本例では、隔壁２０１が、第３の面Ｆ３として平面である面要素ＦＥ１と面要素ＦＥ２とを有する場合を示したが、これに限られない。第３の面Ｆ３は、例えば、平面である１つの面要素を有して構成されてもよく、または、平面である３つ以上の面要素を有して構成されてもよい。
【００３２】
［第３の面の構成例２］
図５は、本発明の一実施形態（第１実施形態）に係る隔壁２０１の第２の例を示す模式図である。
図５に示す通り、本例では、隔壁２０１の一例を示す隔壁２０１−２が、第３の面Ｆ３ａとして、面要素ＦＥ３を有する。図５に示す通り、面要素ＦＥ３は、隔壁２０１−２の内側から外側に向かって凸（本実施形態において、正の曲率とする）の曲面（本実施形態では、丸みのある面）である。本例では、第１の面Ｆ１ａ、面要素ＦＥ３、第２の面Ｆ２ａの順で、接合されている。なお、ここでは、説明の便宜上、これらの面（または、面要素）を別々に示しているが、例えば、これらの面は一体として構成されている。
図５に示す通り、第１の辺Ｓ１ａは、第１の面Ｆ１ａと面要素ＦＥ３とが接する辺である。また、第２の辺Ｓ２ａは、第２の面Ｆ２ａと面要素ＦＥ３とが接する辺である。
【００３３】
なお、本例では、隔壁２０１−２が、第３の面Ｆ３ａとして凸の曲面である面要素ＦＥ３を１つ有する場合を示したが、これに限られない。隔壁２０１は、凸の曲面である面要素を複数有していてもよい。
【００３４】
［第３の面の構成例３］
図６は、本発明の一実施形態（第１実施形態）に係る隔壁２０１の第３の例を示す模式図である。
図６に示す通り、本例では、隔壁２０１の一例を示す隔壁２０１−３が、第３の面Ｆ３ｂとして、面要素ＦＥ４を有する。図６に示す通り、面要素ＦＥ４は、隔壁２０１−３の内側から外側に向かって凸（正の曲率）の曲面（本実施形態では、丸みのある面）である。本例では、第１の面Ｆ１ｂ、面要素ＦＥ４、第２の面Ｆ２ｂの順で、接合されている。なお、ここでは、説明の便宜上、これらの面（または、面要素）を別々に示しているが、例えば、これらの面は一体として構成されている。
図６に示す通り、第１の辺Ｓ１ｂは、第１の面Ｆ１ｂと面要素ＦＥ４とが接する辺である。また、第２の辺Ｓ２は、第２の面Ｆ２ｂと面要素ＦＥ４とが接する辺である。
ここで、本例では、第１の面Ｆ１ｂは、細い幅の線状の面となっている。つまり、第１の面Ｆ１ｂの両側に接合されている一対の面要素ＦＥ４は、断面において、略円弧状の形状を構成している。このように、第１の面Ｆ１ｂと面要素ＦＥ４とが接する辺である第１の辺Ｓ１ｂが隔壁２０１−３の天頂点に近い位置に配置される場合、第１の面Ｆ１ｂは隔壁２０１−３の天頂点を含む線状の面となる。
なお、前記した一対の面要素ＦＥ４が、断面において、理想的に円弧状の形状を構成する場合には、第１の面Ｆ１ｂは直線となる（面の幅が０になる）が、本実施形態に係る構成は、このような第１の面Ｆ１ｂの構成も含み面とみなす。
【００３５】
［第３の面の構成例４］
図７は、本発明の一実施形態（第１実施形態）に係る隔壁２０１の第４の例を示す模式図である。
図７に示す通り、本例では、隔壁２０１の一例を示す隔壁２０１−４が、第３の面Ｆ３ｃとして、面要素ＦＥ５と面要素ＦＥ６とを有する。図７に示す通り、面要素ＦＥ５は、隔壁２０１−４の内側から外側に向かって凸（正の曲率）の曲面（本実施形態では、丸みのある面）である。また、面要素ＦＥ６は、隔壁２０１−４の底面（第１の面Ｆ１ｃとは反対側の面）と平行な平面である。本例では、第１の面Ｆ１ｃ、面要素ＦＥ５、面要素ＦＥ６、第２の面Ｆ２ｃの順で、接合されている。なお、ここでは、説明の便宜上、これらの面（または、面要素）を別々に示しているが、例えば、これらの面は一体として構成されている。
図７に示す通り、第１の辺Ｓ１ｃは、第１の面Ｆ１ｃと面要素ＦＥ５とが接する辺である。また、第２の辺Ｓ２ｃは、第２の面Ｆ２ｃと面要素ＦＥ６とが接する辺である。
【００３６】
ここで、本例では、第１の面Ｆ１ｃは、細い幅の線状の面となっている。つまり、第１の面Ｆ１ｃの両側に接合されている一対の面要素ＦＥ５は、断面において、略円弧状（または、略楕円の弧状）の形状を構成している。このように、第１の面Ｆ１ｃと面要素ＦＥ５とが接する辺である第１の辺Ｓ１ｃが隔壁２０１−４の天頂点に近い位置に配置される場合、第１の面Ｆ１ｃは隔壁２０１−４の天頂点を含む線状の面となる。
なお、前記した一対の面要素ＦＥ５が、断面において、理想的に円弧状（または、楕円の弧状）の形状を構成する場合には、第１の面Ｆ１ｃは直線となる（面の幅が０になる）が、本実施形態に係る構成は、このような第１の面Ｆ１ｃの構成も含み面とみなす。
【００３７】
なお、本例では、面要素ＦＥ６が隔壁２０１−４の底面と平行である場合を示したが、これに限られない。面要素ＦＥ６は、隔壁２０１−４の底面と平行ではない面であってもよい。この場合、例えば、第２の辺Ｓ２ｃにおいて、面要素ＦＥ６と第２の面Ｆ２ｃとがなす角度は９０°より大きく１８０°未満の値となっている。
また、他の構成例として、面要素ＦＥ６が、複数の面の要素を（例えば、それぞれ、９０°より大きく１８０°未満の値の角度で）接合した形状となっていてもよい。
また、他の構成例として、面要素ＦＥ６は、隔壁２０１−４の内側から外側に向かって凹（本実施形態では、負の曲率）の曲面（本実施形態では、丸みのある面）であってもよい。
【００３８】
［第３の面の構成例５］
図８は、本発明の一実施形態（第１実施形態）に係る隔壁２０１の第５の例を示す模式図である。
図８に示す通り、本例では、隔壁２０１の一例を示す隔壁２０１−５が、第３の面Ｆ３ｄとして、面要素ＦＥ７と面要素ＦＥ８と面要素ＦＥ９とを有する。図８に示す通り、面要素ＦＥ７は、隔壁２０１−５の内側から外側に向かって凸（正の曲率）の曲面（本実施形態では、丸みのある面）である。また、面要素ＦＥ８は、隔壁２０１−５の内側から外側に向かって凹（本実施形態では、負の曲率）の曲面（本実施形態では、丸みのある面）である。また、面要素ＦＥ９は、隔壁２０１−５の内側から外側に向かって凸の曲面（本実施形態では、丸みのある面）である。本例では、第１の面Ｆ１ｄ、面要素ＦＥ７、面要素ＦＥ８、面要素ＦＥ９、第２の面Ｆ２ｄの順で、接合されている。なお、ここでは、説明の便宜上、これらの面（または、面要素）を別々に示しているが、例えば、これらの面は一体として構成されている。
図８に示す通り、第１の辺Ｓ１ｄと、第１の面Ｆ１ｄと面要素ＦＥ７とが接する辺である。また、第２の辺Ｓ２ｂは、第２の面Ｆ２と面要素ＦＥ９とが接する辺である。
【００３９】
ここで、本例では、第１の面Ｆ１ｄは、細い幅の線状の面となっている。つまり、第１の面Ｆ１ｄの両側に接合されている一対の面要素ＦＥ７は、断面において、略円弧状（または、略楕円の弧状）の形状を構成している。このように、第１の面Ｆ１ｄと面要素ＦＥ７とが接する辺である第１の辺Ｓ１ｄが隔壁２０１−５の天頂点に近い位置に配置される場合、第１の面Ｆ１ｄは隔壁２０１−５の天頂点を含む線状の面となる。
なお、前記した一対の面要素ＦＥ７が、断面において、理想的に円弧状（または、楕円の弧状）の形状を構成する場合には、第１の面Ｆ１ｄは直線となる（面の幅が０になる）が、本実施形態に係る構成は、このような第１の面Ｆ１ｄの構成も含み面とみなす。
【００４０】
本例では、凸と凹とが１つずつ切り替わって隣り合った３個の面要素ＦＥ７、ＦＥ８、ＦＥ９から第３の面Ｆ３ｄが構成されたが、これに限られない。第３の面Ｆ３ｄは、例えば、凸と凹とが１つずつ切り替わって隣り合う２個または４個以上の面要素から構成されてもよい。
【００４１】
［隔壁の製造方法］
以下、本実施形態（第１実施形態）に係る隔壁２０１に、第１の面Ｆ１、第２の面Ｆ２および第３の面Ｆ３を製造する方法の例を示す。当該方法は、例えば、図４〜図８に示される隔壁２０１−１〜２０１−５の構成などに適用され得る。
【００４２】
一例として、第１の面Ｆ１、第２の面Ｆ２及び第３の面Ｆ３のうちの少なくともいずれかについて面取り加工を行うことで、第１の面Ｆ１、第２の面Ｆ２及び第３の面Ｆ３を有する隔壁２０１を形成する（設ける）製造方法を用いることが可能である。この場合、第１の面Ｆ１、第２の面Ｆ２及び第３の面Ｆ３のうち少なくともいずれかは、面取り加工された面となる。
【００４３】
他の例として、第１の面Ｆ１、第２の面Ｆ２及び第３の面Ｆ３のうちの少なくともいずれかについてエッチング加工を行うことで、第１の面Ｆ１、第２の面Ｆ２及び第３の面Ｆ３を有する隔壁２０１を形成する（設ける）製造方法を用いることが可能である。この場合、第１の面Ｆ１、第２の面Ｆ２及び第３の面Ｆ３のうち少なくともいずれかは、エッチング加工された面となる。
一例として、フォトリソグラフィーのハーフエッチング法が用いられてもよい。
【００４４】
他の例として、第１の面Ｆ１、第２の面Ｆ２及び第３の面Ｆ３のうちの少なくともいずれかについて型押し加工を行うことで、第１の面Ｆ１、第２の面Ｆ２及び第３の面Ｆ３を有する隔壁２０１を形成する（設ける）製造方法を用いることが可能である。この場合、第１の面Ｆ１、第２の面Ｆ２及び第３の面Ｆ３のうち少なくともいずれかは、型押し加工された面となる。
一例として、金型によるインプリント成形が用いられてもよい。
【００４５】
［第１実施形態のまとめ］
以上説明したように、本実施形態（第１実施形態）に係る電気泳動表示装置１の表示部１１では、第１の面Ｆ１と、第２の面Ｆ２と、第３の面Ｆ３とを有する隔壁２０１を備える。
従来の技術では、図１２を例とすると、隔壁２２０１が第１の面及び第２の面のみを有する場合があった。この場合、第１の面と第２の面とが接する箇所の角度が尖鋭になる（曲率半径が小さい）場合があった。すると、隔壁２２０１において第１の面と第２の面とが接する尖鋭な箇所と第２の接合層２２０３とが接するところで、第２の接合層２２０３に亀裂が生じる場合があった。
これに対して、本実施形態に係る電気泳動表示装置１の表示部１１が備える隔壁２０１は、第１の面Ｆ１と第２の面Ｆ２との間に第３の面Ｆ３を有する。これにより、第１の面Ｆ１と第２の面Ｆ２とが接しておらず、第３の面Ｆ３が存在することで、隔壁２０１の天頂側において角度が尖鋭になる箇所が生じることを防止することができる。
すなわち、本実施形態に係る電気泳動表示装置１の表示部１１が備える隔壁２０１によれば、当該隔壁２０１と第２の接合層２０３とが接して食い込む箇所（当該隔壁２０１の端面の近傍の箇所）の変形を小さくすることができ、その箇所に第２の接合層２０３の亀裂が生じることを防止することができ、第２の接合層２０３が破損することを防止することができる。
【００４６】
また、電気泳動表示装置１の表示部１１が備える第１の接合層２０２には、分散液１０４の電気泳動特性を悪化させる成分が含まれる場合がある。このような場合においても、本実施形態に係る電気泳動表示装置１の表示部１１が備える隔壁２０１によれば、隔壁２０１と第２の接合層２０３とが接する箇所に亀裂が生じることを防止することができることから、第１の接合層２０２から分散液１０４の電気泳動特性を悪化させる成分が当該分散液１０４に溶出することを防止することができ、それによる表示品質の劣化を防止することができる。
【００４７】
一例として、図７に示される構成において、面要素ＦＥ５を凸の曲面とし、面要素ＦＥ６を凹の曲面とした場合、例えば、第１の面Ｆ１ｃおよび第３の面Ｆ３ｃ（面要素ＦＥ５、ＦＥ６）が第２の接合層２０３を覆うように食い込む。このため、仮に、これらの面Ｆ１ｃ、Ｆ３ｃと第２の接合層２０３との間に、当該第２の接合層２０３の亀裂が生じても、当該亀裂がこれらの面Ｆ１ｃ、Ｆ３ｃで覆われるため、第１の接合層２０２からの成分の溶出を抑制（例えば、防止）することが可能である。また、新たな亀裂の発生を抑制（例えば、防止）することも可能である。なお、他の例として、図８に示される構成のように、面要素ＦＥ７を凸の曲面とし、面要素ＦＥ８を凹の曲面とし、面要素ＦＥ９を凸の曲面とした場合においても、同様な効果を得ることが可能である。
【００４８】
なお、本実施形態では、分散液１０４には、２種類の粒子（複数の白色粒子と複数の黒色粒子）が含まれる場合を示したが、これに限られない。分散液１０４には、少なくとも１種類の粒子が含まれていればよく、また、互いに異なる色に対応する３種類以上の粒子が含まれていてもよい。
【００４９】
また、本実施形態では、分散液１０４には、白色粒子と黒色粒子が含まれる場合を示したが、各粒子に対応する色は、これに限られない。分散液１０４には、例えば、赤色、緑色、青色等の白黒以外の色彩に対応する粒子が含まれてもよい。
【００５０】
また、本実施形態では、複数の画素領域２１に共通な共通電極１１２が備えられる場合を示したが、これに限られない。表示部１１には、共通電極１１２の代わりに、複数に分割された複数個の電極が用いられてもよい。これら複数個の電極は、例えば、画素ごとに設けられてもよい。
【００５１】
また、本実施形態では、表示部１１は、画素電極１１１を備えた駆動基板１０２、隔壁２０１（および分散液１０４）、第２の接合層２０３、第１の接合層２０２、共通電極１１２、対向基板１０１の順に配置される場合について説明したが、これに限られない。他の構成例として、表示部１１は、画素電極１１１を備えた駆動基板１０２、第１の接合層２０２、第２の接合層２０３、隔壁２０１（および分散液１０４）、共通電極１１２、対向基板１０１の順に配置されていてもよい。
【００５２】
また、本実施形態では、第２の面Ｆ２が駆動基板１０２の面に対して垂直な面である場合を示したが、これに限られない。第２の面Ｆ２は、駆動基板１０２の面に対して垂直以外の角度によって配置されていてもよい。具体的には、Ｚ−Ｘ平面において隔壁２０１の断面の形状が台形であってもよい。
【００５３】
また、本実施形態では、複数の画素領域２１が隣接して配置されており、それぞれの画素領域２１を仕切る隔壁２０１が互いにつながっている。本実施形態では、正方形状を形成する隣接する４個の画素領域２１（２個×２個の画素領域２１）の隔壁２０１が天井部分で十字状に交差するように形成されている。具体的には、隣り合う画素領域２１を仕切る隔壁２０１の部分は、一対の第２の面Ｆ２（画素領域２１の内部の側面）と、一対の第３の面Ｆ３と、これらに共通な第１の面Ｆ１を含む場合について説明した。
ここで、複数の画素領域２１が隣接する部分における隔壁２０１の構成としては、他の構成が用いられてもよい。例えば、隣り合う画素領域２１を仕切る隔壁２０１は、それぞれが異なる第１の面Ｆ１を有してもよく、つまり、隣り合う画素領域２１のそれぞれの第１の面Ｆ１は共通な面でなくてもよい。
【００５４】
（第２実施形態）
図９〜図１１は、本発明の実施形態（第２実施形態）に係る電子機器の概略的な構成例を示す図である。本実施形態では、以上の実施形態に係る電気泳動表示装置を適用した電子機器の具体例を示す。
【００５５】
図９は、本発明の一実施形態（第２実施形態）に係る電子機器の一例である電子ブック５０１を示す斜視図である。
電子ブック５０１は、ブック形状のフレーム５１１と、以上の実施形態に係る電気泳動表示装置が適用された表示部５１２と、操作部５１３を備える。
【００５６】
図１０は、本発明の一実施形態（第２実施形態）に係る電子機器の一例である腕時計５５１を示す斜視図である。
腕時計５５１は、以上の実施形態に係る電気泳動表示装置が適用された表示部５６１を備える。
【００５７】
図１１は、本発明の一実施形態（第２実施形態）に係る電子機器の一例である電子ペーパー５７１を示す斜視図である。
電子ペーパー５７１は、紙と同様の質感および柔軟性を有するリライタブルシートで構成される本体部５８１と、以上の実施形態に係る電気泳動表示装置が適用された表示部５８２を備える。
【００５８】
なお、以上の実施形態に係る電気泳動表示装置は、他の様々な電子機器に適用されてもよく、例えば、携帯電話、携帯用オーディオ機器等の電子機器の表示部、マニュアル等の業務用シート、教科書、問題集、情報シートなどに適用されてもよい。
また、各電子機器は、例えば、制御部を備え、当該制御部により表示部を制御する。
【００５９】
以上のように、本実施形態に係る電子機器では、以上の実施形態に係る電気泳動表示装置と同様な効果を得ることができる。
【００６０】
以上、この発明の実施形態について図面を参照して詳述してきたが、具体的な構成はこの実施形態に限られるものではなく、この発明の要旨を逸脱しない範囲の設計等も含まれる。
【００６１】
なお、以上に説明した装置（例えば、電気泳動表示装置、あるいは、電子機器）における任意の構成部（例えば、制御部など）の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーあるいはクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００６２】
１…電気泳動表示装置、１１、５１２、５８２、２００１…表示部、１２…制御部、２１…画素領域、１０１、２１０１…対向基板、１０２、２１０２…駆動基板、１０４、２１０６…分散液、１１１、１１１ａ、１１１ｂ、１１１ｃ…画素電極、２０１、２０１−１、２０１−２、２０１−３、２０１−４、２０１−５、２０１ａ、２０１ｂ、２２０１…隔壁、２０２、２２０２…第１の接合層、２０３、２２０３…第２の接合層、２０４、２０４ａ、２０４ｂ、２１０４、２２０４…接合層、５０１…電子ブック、５１１…フレーム、５１３…操作部、５５１…腕時計、５６１…表示部、５７１…電子ペーパー、５８１…本体部、１１２、２１１１、２１１１ａ、２１１１ｂ、２１２２…共通電極、ＡＲ…領域、Ｆ１、Ｆ１ａ、Ｆ１ｂ、Ｆ１ｃ、Ｆ１ｄ…第１の面、Ｆ２、Ｆ２ａ、Ｆ２ａ−１、Ｆ２ａ−２、Ｆ２ｂ、Ｆ２ｂ−１、Ｆ２ｂ−２、Ｆ２ｃ、Ｆ２ｄ…第２の面、Ｆ３、Ｆ３ａ、Ｆ３ａ−１、Ｆ３ａ−２、Ｆ３ｂ、Ｆ３ｂ−１、Ｆ３ｂ−２、Ｆ３ｃ、Ｆ３ｄ…第３の面、ＦＥ１、ＦＥ２、ＦＥ３、ＦＥ４、ＦＥ５、ＦＥ６、ＦＥ７、ＦＥ８、ＦＥ９…面要素、Ｓ１、Ｓ１ａ、Ｓ１ｂ、Ｓ１ｃ、Ｓ１ｄ…第１の辺、Ｓ２、Ｓ２ａ、Ｓ２ｂ、Ｓ２ｃ…第２の辺
【図１】
2017116603.tif 000003
【図２】
2017116603.tif 000004
【図３】
2017116603.tif 000005
【図４】
2017116603.tif 000006
【図５】
2017116603.tif 000007
【図６】
2017116603.tif 000008
【図７】
2017116603.tif 000009
【図８】
2017116603.tif 000010
【図９】
2017116603.tif 000011
【図１０】
2017116603.tif 000012
【図１１】
2017116603.tif 000013
【図１２】
2017116603.tif 000014